(57)【要約】【課題】部品点数の増加や部品の加工上の複雑さ、組み立て工数の増加を招くことなく、万年筆の持つ固有の弾力性を十分に発揮する万年筆型ボールペンを提供すること。【解決手段】先端部にボール７を回転可能に保持した可撓性の金属板により形成されたペン先部材６が軸筒１の前端部に取り付けられる。前記ペン先部材６は、金属板の先端部を軸線を中心として円筒体状に丸め加工することで、ボールハウス２１が形成され、ペン先部材６を構成する金属板の基端部には、ペン先ホルダーに対する係合部２６が形成される。前記ボールハウス２１には、その周壁から軸心に向かって形成された複数の内面突起２２によりボール受け座２３が施され、前記ボールハウスの先端部周縁を内側に倒すことで、ボール保持部２４が施される。前記ボール受け座とボール保持部との間のボールハウス内にボール７が回転可能に収容されて前記ペン先部材６が構成される。【選択図】図１
2012056100.tif 000002
【特許請求の範囲】
【請求項１】
可撓性の金属板によりペン先部材を構成し、前記ペン先部材の先端部にボールを回転可能に保持してなる万年筆型ボールペンであって、
前記ペン先部材には、当該ペン先部材を構成する金属板の先端部を軸線を中心として円筒体状に丸め加工することで、円筒体内に収容されるボール径よりも僅かに内径が大きくなされたボールハウスが形成され、前記金属板の基端部を軸方向に直交する断面形状が円弧または多角形状に加工することで、ペン先ホルダーに対する係合部が形成され、
かつ前記ボールハウスには、当該ボールハウスの周壁から軸心に向かって形成された複数の内面突起によりボール受け座が施されると共に、前記ボールハウスの先端部周縁を内側に倒すことで、前記ボール径よりも僅かに小径になされたボール保持部が施され、前記ボール受け座とボール保持部との間のボールハウス内に前記ボールが回転可能に収容されて前記ペン先部材が構成されており、
前記ペン先部材は、基端部に形成された前記係合部を利用して、軸筒の前端部に配置されたペン先ホルダーに取り付けられていることを特徴とする万年筆型ボールペン。
【請求項２】
前記ペン先部材を構成する金属板の先端部に形成されたボールハウスと、金属板の基端部に形成されたペン先ホルダーに対する係合部との間の中間部が平板部になされ、当該平板部は筆記荷重を受けてペン先に撓みを与えるように構成されていることを特徴とする請求項１に記載された万年筆型ボールペン。
【請求項３】
前記ボールハウスを形成する金属板の先端部は、先端に行くに従って薄くなるように塑性加工が施されていることを特徴とする請求項１または請求項２に記載された万年筆型ボールペン。
【請求項４】
円筒状に丸め加工することでペン先部材の先端部に形成された前記ボールハウスは、円筒体の先端部側の合わせ目が、軸方向に後退するようにＶ字状もしくはＵ字型に切り欠かれていることを特徴とする請求項１ないし請求項３のいずれか１項に記載された万年筆型ボールペン。
【請求項５】
前記ペン先部材に形成されたボールハウスを構成する円筒体の後端部に一端部が差し込まれてペン先インク誘導芯が配置され、当該ペン先インク誘導芯を介して、軸筒内のインクタンクからのインクが前記ボールに供給されるように構成したことを特徴とする請求項１ないし請求項４のいずれか１項に記載された万年筆型ボールペン。
【請求項６】
前記ペン先インク誘導芯の他端部は中継芯に接続され、当該中継芯は前記インクタンク内からのインクを誘導するインク誘導芯に接続されていることを特徴とする請求項５に記載された万年筆型ボールペン。
【請求項７】
前記ペン先インク誘導芯の他端部は、前記インクタンク内からのインクを誘導するインク誘導芯に接続されていることを特徴とする請求項５に記載された万年筆型ボールペン。
【請求項８】
前記ペン先インク誘導芯の他端部は、軸筒内のインクタンク内へ延伸され、前記インクタンク内からのインクを前記ボールハウス内のボールに供給するように構成したことを特徴とする請求項５に記載された万年筆型ボールペン。
【請求項９】
前記ペン先インク誘導芯は、筆記荷重を受けた前記ペン先部材の撓みを受けて、当該ペン先部材の撓みに追従して変形可能に構成されていることを特徴とする請求項５ないし請求項８のいずれか１項に記載された万年筆型ボールペン。
【請求項１０】
前記ペン先インク誘導芯もしくはインク誘導芯には、繊維素材を結束してなる繊維束またはチューブ内面から中心に向かって突出する軸方向に長い複数のリブを備えてなる中空部材が用いられていることを特徴とする請求項５ないし請求項８のいずれか１項に記載された万年筆型ボールペン。
【発明の詳細な説明】
【技術分野】
【０００１】
この発明は、万年筆に用いられるものと同様の例えば金属製のペン先部が具備され、このペン先部にボールを転動可能に保持してなる万年筆型のボールペンに関する。
【背景技術】
【０００２】
従来の例えば水性ボールペンに用いられるボールペンチップを製作する場合、一つの手段として、金属製の丸棒を所定の長さに切断し、その端部に切削により前記ボールが入る穴加工をし、さらにブローチ加工によりインク溝を形成する。次いで穴加工部分にボールを挿入し、穴加工部分の先端周縁をボールが脱落しないように内向きにかしめ加工するようになされる。これにより、先端部にボールを転動可能に保持したボールペンチップが製作される。
【０００３】
また、ボールペンチップを製作する他の手段としては、金属製のパイプを用意し、その外周面に複数のポンチを打つことでパイプ内に向かって突起を形成させてボール受け座とし、前記ボール受け座を利用してボールを挿入する。次いで前記金属パイプの先端周縁をボールが脱落しないように内向きにかしめ加工することで、先端部にボールを転動可能に保持したボールペンチップを製作することができる。
前記のようにして製作されたボールペンチップは、中継の保持部材を介すか、又は直接筆記具軸に取り付けることで、ボールペンとしての筆記具が完成される。
【０００４】
前記したボールペンにおいては、筆記面に対して多少角度を傾けても、比較的円滑に筆記することは可能であるものの、ボールペンチップが筆記具軸に硬直に取り付けられているために筆記時において弾力性がなく、長時間の使用においては手指が疲れるという問題がある。
【０００５】
一方、周知の万年筆においては、金属製のペン先部の作用により筆記時に適度な弾力が得られるものの、ペン先部の先端を紙面に擦りながら筆記することになるために、書き味が滑らかではない。また前記万年筆においては、金属製のペン先部に形成された割り溝（ギャップ）を介してインクが誘導されるため、前記ギャップが正面に位置する姿勢で筆記する必要がある。すなわち、軸筒の把持状態が若干周方向に回って前記ギャップ位置が正面位置からずれると、インクは紙面に乗らずに筆記不能になるといった欠点がある。
【０００６】
そこで、従来の前記ボールペンが持つ弾力性のない硬直な手触りの感覚を少なくして、筆記の感触に前記万年筆の機能と同様な適度な弾力を持たせ、かつボールペンが有する紙面に対する軸筒の把持角度の制限が少ないという特質を生かした万年筆型のボールペンについて提案がなされており、これは特許文献１および２に開示されている。
【先行技術文献】
【特許文献】
【０００７】
【特許文献１】実公昭５９−１４２３５号公報
【特許文献２】国際公開ＷＯ２００５−１１３２５５号公報
【０００８】
特許文献１に開示の万年筆型のボールペンは、可撓性を有し横断面がともに円弧状に形成された上板と下板とを重ね合わせてペン先部とし、その隙間に先端部に達するインキ通路を形成して軸筒に取付けるとともに、上板の先端部にボール受座を設け、下板の先端部にボール受座に対応したボール保持部を設け、ボール保持部内にボールを一部露出させて転動可能に保持したものである。
【０００９】
また、前記上板と下板およびボールの組立ては、あらかじめ成形した下板のボール保持部内にボールを上方から挿入し、さらに上板を下板の上に重ね合わせボールが前記ボール保持部より脱出不能としたのち、上板と下板とをインキ通路としての所望の間隙を形成するよう固着した構成にされている。
そのために、ペン先部を弾性変形させた時の上板と下板の合わせ目のズレの影響や衝撃等の影響でインキ通路におけるインキの流れが切断され、インキ切れで筆記不能となる虞がある。
【００１０】
前記特許文献２に開示された万年筆型のボールペンは、前記した上板と下板の合わせ目のズレの影響や衝撃等を受けてインキ通路におけるインキの誘導性を損なうのを解消しようとするものであり、先端にボールを転動可能に抱持した板片状のペン先部が、ペン先基部材に沿って配置され、前記ペン先基部材の軸芯に沿ってインク誘導孔が形成されている。そして、インク誘導孔内に収容されたインク誘導芯を介して、軸筒内に貯留されたインクをペン先部に抱持されたボールに導くように構成されている。
この構成によるとインク誘導芯が作用して、外的な作用を受けてインクの流れが遮断されるのを効果的に防止することができる。
【発明の概要】
【発明が解決しようとする課題】
【００１１】
ところで、前記特許文献１および２に開示された万年筆型のボールペンは、筆記面に対してペン軸を傾けて筆記する場合において好適な形態になされており、例えばペン軸を筆記面に対して６０゜程度に傾けて（寝かせて）筆記した場合に円滑に筆記できるようにすることを念頭においている。
【００１２】
このために、前記ボールはペン先を構成する板片部材の面に直交する方向に突出させて保持する必要があり、したがって特許文献１に開示の構成によると、前記したとおりボール保持部を下板に形成し、上板によりボールが脱出するのを阻止するように構成している。したがって、上板と下板の間のインキ通路が外的な作用を受けてインクの流れに障害をもたらすだけでなく、ペン先として上板と下板を備えることによる部品点数の増加および組み立て工数の増加を招来させることになる。
【００１３】
また特許文献２に開示の構成においても板片状のペン先部にボールを転動可能に抱持させると共に、ペン先部とペン先基部材との間でインク誘導芯を収容する空間部を形成するなどの構成上の工夫が必要となり、同じく部品の加工上の複雑さおよび組み立て工数の増加を招来させることになり、改良の余地がある。
【００１４】
加えて、特許文献１および２に開示された構成によると、前者においては上板と下板を平行状態に合わせてペン先部を形成するために、万年筆の持つ固有の弾力性を十分に発揮させることが不可能となる。また、後者においても板片状のペン先部の裏側（筆記状態における筆記者からみた目視側）にはペン先基部材が位置するために、これがペン先部の撓みを阻害し、同様に万年筆の持つ固有の弾力性を十分に発揮させることは不可能となる。
【００１５】
この発明は、前記した従来の問題点を解消するためになされたものであり、部品点数の増加や部品の加工上の複雑さ、およびこれらの組み立て工数の増加を招くことなく、万年筆の持つ固有の弾力性を十分に発揮させることができる万年筆型ボールペンを提供することを課題とするものである。
【課題を解決するための手段】
【００１６】
前記した課題を解決するためになされたこの発明にかかる万年筆型ボールペンは、可撓性の金属板によりペン先部材を構成し、前記ペン先部材の先端部にボールを回転可能に保持してなる万年筆型ボールペンであって、前記ペン先部材には、当該ペン先部材を構成する金属板の先端部を軸線を中心として円筒体状に丸め加工することで、円筒体内に収容されるボール径よりも僅かに内径が大きくなされたボールハウスが形成され、前記金属板の基端部を軸方向に直交する断面形状が円弧または多角形状に加工することで、ペン先ホルダーに対する係合部が形成され、かつ前記ボールハウスには、当該ボールハウスの周壁から軸心に向かって形成された複数の内面突起によりボール受け座が施されると共に、前記ボールハウスの先端部周縁を内側に倒すことで、前記ボール径よりも僅かに小径になされたボール保持部が施され、前記ボール受け座とボール保持部との間のボールハウス内に前記ボールが回転可能に収容されて前記ペン先部材が構成されており、前記ペン先部材は、基端部に形成された前記係合部を利用して、軸筒の前端部に配置されたペン先ホルダーに取り付けられている点に特徴を有する。
【００１７】
この場合、前記ペン先部材を構成する金属板の先端部に形成されたボールハウスと、金属板の基端部に形成されたペン先ホルダーに対する係合部との間の中間部が平板部になされ、当該平板部は筆記荷重を受けてペン先に撓みを与えるように構成されていることが望ましい。
加えて、前記ボールハウスを形成する金属板の先端部は、先端に行くに従って薄くなるように塑性加工が施されていることが望ましい。
【００１８】
また、円筒状に丸め加工することでペン先部材の先端部に形成された前記ボールハウスは、好ましくは円筒体の先端部側の合わせ目が、軸方向に後退するようにＶ字状もしくはＵ字型に切り欠かれた構成になされる。
【００１９】
そして、好ましい実施の形態においては、前記ペン先部材に形成されたボールハウスを構成する円筒体の後端部に一端部が差し込まれてペン先インク誘導芯が配置され、当該ペン先インク誘導芯を介して、軸筒内のインクタンクからのインクが前記ボールに供給されるように構成される。
【００２０】
この場合、前記ペン先インク誘導芯の他端部は中継芯に接続され、当該中継芯は前記インクタンク内からのインクを誘導するインク誘導芯に接続された構成を好適に採用することができる。
また、前記ペン先インク誘導芯の他端部は、前記インクタンク内からのインクを誘導するインク誘導芯に接続された構成も採用することができる。
さらに、前記ペン先インク誘導芯の他端部は、軸筒内のインクタンク内へ延伸され、前記インクタンク内からのインクを前記ボールハウス内のボールに供給するように構成も採用することができる。
【００２１】
また、前記ペン先インク誘導芯は、筆記荷重を受けた前記ペン先部材の撓みを受けて、当該ペン先部材の撓みに追従して変形可能に構成されていることが望ましい。
さらに、前記ペン先インク誘導芯もしくはインク誘導芯には、繊維素材を結束してなる繊維束またはチューブ内面から中心に向かって突出する軸方向に長い複数のリブを備えてなる中空部材を好適に利用することができる。
【発明の効果】
【００２２】
前記した構成の万年筆型ボールペンによると、ペン先部材を構成する金属板の先端部を軸線を中心として円筒体状に丸め加工することで、ボールハウスが形成され、前記ペン先部材を構成する金属板の基端部には、軸筒の前端部に配置されるペン先ホルダーに対する係合部が形成されるので、この係合部を利用してペン先部材を軸筒の先端部に取り付けることができる。
【００２３】
そして、前記ペン先部材に形成されたボールハウスには、当該ボールハウスの円筒体周壁から軸心に向かう複数の内面突起をポンチ等により形成することでボール受け座が施され、前記ボールハウスの先端部周縁を内側に倒すことで、前記ボール径よりも僅かに小径になされたボール保持部が施される。これにより前記ボールハウスに施された前記ボール受け座とボール保持部との間で、前記ボールを転動可能に収容することができる。
【００２４】
したがって、前記した構成によると、部品点数の増加や部品の加工上の複雑さ、およびこれらの組み立て工数の増加を招くことなく、ボールを転動可能に保持してなるペン先部材を得ることができる。
【００２５】
加えて、前記ペン先部材を構成する金属板の先端部に形成されたボールハウスと、金属板の基端部に形成されたペン先ホルダーへの係合部との間の中間部が平板部になされることで、当該平板部は筆記荷重を受けてペン先に撓みを与えるように作用するので、万年筆の持つ固有の弾力性を十分に発揮させることができる万年筆型ボールペンを提供することができる。
【図面の簡単な説明】
【００２６】
【図１】この発明の第１の実施の形態を示した縦断面図である。
【図２】同じく前半部を拡大して示した縦断面図である。
【図３】同じく筆記荷重を受けたペン先部材の状態を示した縦断面図である。
【図４】同じくペン先部材を上面から見た状態の一部断面図である。
【図５】同じくペン先部材を先端部側から見た状態の正面図である。
【図６】ペン先部材を拡大して示した斜視図である。
【図７】同じくペン先部材を上下反転して示した斜視図である。
【図８】同じくペン先部材にボールが収容された状態を示す斜視図である。
【図９】ペン先部材の変形例を示した斜視図である。
【図１０】同じくペン先部材にボールが収容された状態を示す斜視図である。
【図１１】この発明の第２の実施の形態を示した縦断面図である。
【図１２】この発明の第３の実施の形態を示した縦断面図である。
【図１３】インク誘導芯の好ましい例を示した断面図である。
【発明を実施するための形態】
【００２７】
以下、この発明にかかる万年筆型ボールペンについて、図に示す実施の形態に基づいて説明する。図１〜図９は第１の実施の形態を示すものであり、そのうち図１は全体構成を示した断面図である。この万年筆型ボールペンは、後部をインクタンク２とする円筒状に形成された軸筒１により外郭を構成している。この軸筒１の先端開口部には、筒状の継ぎ手３が嵌め込まれ、この継ぎ手３によって、外側に多数の空気置換溝などを備えたインク保溜体４が軸筒１内の前半部に収容され支持されている。
【００２８】
前記インク保溜体４の中心部には貫通孔４ａが形成されて後述するインク誘導芯が収容されると共に、図２にも示されているとおりインク保溜体４の前端部には前記貫通孔４ａに連通して内径の太い支持孔４ｂが形成されており、この支持孔４ｂにはペン先ホルダー５の根元部分が嵌合されて取り付けられている。
【００２９】
前記ペン先ホルダー５の前端部には、傾斜面５ａが形成されており、この傾斜面５ａが形成された部分の反対面（背面側）には、金属板により形成されたペン先部材６がペン先ホルダー５に沿うようにして取り付けられている。なお、前記ペン先部材６の先端部にはボール７が回転可能に取り付けられており、その詳細な構成は後で説明する。
【００３０】
また、前記インク保溜体４に形成された貫通孔４ａ内には、例えば繊維素材を結束してなる繊維束によるインク誘導芯１０が装着されており、このインク誘導芯１０の後端部は前記インクタンク２内に臨み、インクタンク２内のインクを毛細管現象を利用して導出するように機能する。また前記インク誘導芯１０の前端部は、前記ペン先ホルダー５内に形成された空間内に収容された例えばスポンジにより形成された中継芯１１に接続されている。
【００３１】
さらに前記ペン先部材６とペン先ホルダー５との間には前記中継芯１１からペン先部材６の先端部に配置されたボール７に至るように例えば繊維束により構成されたペン先インク誘導芯１２が配置されている。したがって、前記したインクタンク２内のインクは、インク誘導芯１０、中継芯１１、ペン先インク誘導芯１２を介して、前記ペン先部材６の先端部に配置されたボール７に供給されるように作用する。なお、前記したペン先インク誘導芯１２等を含むインク誘導手段については、後で詳細に説明する。
【００３２】
図６〜図８は、可撓性の金属板により形成されたペン先部材６の構成を示したものである。このペン先部材６は、０．１〜０．３ｍｍ程度の厚さの例えばステンレス素材による金属板を所定の形状に打ち抜いたものが用いられる。このペン先部材６には、金属板の先端部を軸線を中心として円筒体状に丸め加工することで、円筒体状のボールハウス２１が形成される。これは円筒体内に収容されるボール７の径よりも僅かに内径が大きくなされるように成形される。
【００３３】
そして、前記ボールハウス２１には、当該ボールハウスの周壁から軸心に向かって、例えばポンチを打ちにより複数の内面突起２２が形成され、これによりボール受け座２３が施される。この内面突起２２は、円筒体状のボールハウスの先端部より同一の距離において、かつ周方向に等間隔の位置、例えば周方向に９０゜ごとの位置において施される。
【００３４】
前記したポンチ打ちにより複数の内面突起２２を形成させる場合においては、先端が角錐又は円錐又は球面をしたコアピン（図示せず）をボールハウス２１を形成する円筒部内に挿入し、ポンチを打つことでボール７の受け座面を平面又は円弧面又は球面を形成することができる。この加工によりボール７の座りを安定させ、ボール７がボールハウス２１内で滑らかに転動するようになり、これにより書き味を良くし、更には受け座２３とボール７との回転による擦れ摩耗を少なくする効果を得ることができる。
【００３５】
前記したポンチ打ちによるボールハウス２１への受け座２３の形成後には、ボールハウス２１の先端部開口よりボール７が挿入される。続いてボールハウスの先端部周縁を内側に倒すかしめ加工を施すことで、前記ボール７の径よりも僅かに小径になされたボール保持部２４が形成される。これにより、図８に示すように前記ボール７はボール受け座２３とボール保持部２４との間のボールハウス内に回転可能に収容され、かつボール７の一部がボールハウス２１の先端部開口より突出された状態で保持される。
【００３６】
この場合、前記したボールハウス２１の成形前において、前記ボールハウスが形成される金属板の先端部は、先端に行くに従って薄くなるように塑性加工が施されていることが望ましい。この先端を薄くする塑性加工を施すことにより、ボールハウスの先端部周縁を内側に倒してボール保持部２４を形成する前記かしめ加工がし易くなると共に、筆記時に軸を寝かせて書いてもボールハウスの先端部が紙面に擦れにくくなり、書き味の向上に寄与することができる。
【００３７】
一方、前記ペン先部材を構成する前記金属板の基端部は、軸方向に直交する断面形状が円弧または多角形状に加工されることで、前記ペン先ホルダー５に対する係合部２６が形成される。すなわち、図５に示された例においては、前記したペン先ホルダー５の根元部分には、互いに水平方向に張り出す一対の面５ｂが形成されている。すなわち、図に示すペン先ホルダー５の実施の形態においては、軸方向に直交する断面形状が多角形状に加工され、ペン先ホルダーへの前記係合部２６は、互いに内向きとなるように水平方向に折り曲げられて構成されている。
【００３８】
したがって、前記ペン先部材６をペン先ホルダー５の背面側に添わせつつ、ペン先部材６の基端部をペン先ホルダー５側に押し込むことで、図５示すようにペン先部材６に形成された一対の係合部２６は、ペン先ホルダー５に形成された一対の面５ｂに当接し、ペン先部材６の弾性復元力により、ペン先部材６はペン先ホルダー５に取り付けられる。
【００３９】
また、前記ペン先部材６は、前記ボールハウス２１とペン先ホルダーへの係合部２６との間の中間部が平板部２８になされている。なお、図６〜図８に示す形態においては、ペン先部材６の軸方向に沿って、僅かに段を付けたリブ２９形成されている。前記したように平板部２８の形成により、当該平板部２８は筆記荷重を受けた場合、ペン先部材６に効果的に撓みを与えるように作用する。
【００４０】
すなわち、図３はその様子を断面図で示したものであり、筆記荷重を受けてペン先部材６の平板部２８が撓むように構成されているので、万年筆の持つ固有の弾力性を十分に発揮させることができる万年筆型ボールペンを提供することができる。
この場合、ペン先部材６の裏側に配置されたペン先インク誘導芯１２は、筆記荷重を受けた前記ペン先部材６の撓みを受けて、当該ペン先部材６の撓みに追従して変形しつつ、インクをボール７側に供給するように作用する。
【００４１】
図９および図１０は、前記ペン先部材６の特にボールハウス２１部分の好ましい変形例を示したものである。すなわちこの例においては、円筒状に丸め加工することでペン先部材６の先端部に形成された前記ボールハウス２１は、円筒体の先端部側の合わせ目が、軸方向に後退するようにＶ字状もしくはＵ字型に切り欠かれた切欠き部３０が形成されている。
【００４２】
この構成によると、軸筒をたとえ寝かせて書いた場合や筆記荷重によりペン先が撓んで実質的に寝かせ書きと同じ状態となっても、インクを紙面に転写でき筆記することができる。更には紙面に対するペン先の引っかかり感も軽減することができる。
【００４３】
図１１および図１２は、インクタンク２からペン先部材６に配置されたボール７に至るインク誘導手段の他の例を示したものであり、このインク誘導手段についてはすでに説明した図１および図２に示す実施の形態も含めて新たに説明する。なお、図１１および図１２においては、すでに説明した図１および図２等に示す各部と同一の機能を果たす部分を同一符号で示しており、したがってその詳細な説明は省略する。
【００４４】
図１および図２に示した例はすでに説明したとおり、インクタンク２内のインクをインク誘導芯１０、中継芯１１、ペン先インク誘導芯１２を介してペン先部材に配置された前記ボール７にインクが誘導されるようになされる。この場合、図１１および図１２に示す実施の形態も同様に、前記ペン先インク誘導芯１２のボール７側の一端部は、ボールハウス２１を構成する円筒体の後端部に例えば圧入により差し込まれ、ボールハウス２１から容易に抜け出ないように取り付けられる。
【００４５】
この場合、ペン先インク誘導芯１２の一端部をボールハウス２１の後部に圧入により差し込んだ後に、ボールハウス２１の後端部を外周からポンチを打ちを施すことで内方突起を形成してインク誘導芯１２の一端部をボールハウスに固定するか、ボールハウス２１の後端部の一部を内方に倒すかしめ加工を施すことによりインク誘導芯１２のボール側の一端部をボールハウスに固定する手段が適宜採用し得る。
【００４６】
なお、図１２に示す実施の形態は、ペン先インク誘導芯１２の他端部は、インクタンク２内からのインクを誘導するインク誘導芯１０に直接接続されている。また図１３に示す実施の形態は、前記ペン先インク誘導芯１２の他端部は、軸筒内のインクタンク２内へ延伸され、前記インクタンク２内からのインクを前記ボールハウス２１内のボール７に供給するように構成されている。
【００４７】
前記したペン先インク誘導芯１２およびインクタンク側のインク誘導芯１０は、すでに説明したとおり、繊維素材を結束してなる繊維束を好適に利用することができるが、チューブ内面から中心に向かって突出する軸方向に長い複数のリブを備えてなる中空部材を採用することもできる。
【００４８】
図１３の（Ａ），（Ｂ），（Ｃ）は、その例を断面図で示したものであり、環状（チューブ状）に形成された外壁１５の内面に向かって軸方向に長い複数のリブ１６が形成されており、これは押し出し成形により得ることができる。そして、前記リブ１６は効果的に毛細管作用を発揮し、インクをボール７側に誘導することができる。
【００４９】
以上のように、本発明に係わる実施の形態によれば、筆記者は水性ボールペンでありながら万年筆のようなペン先の弾力性が得られるため、長時間の使用での手指の疲労を軽減することができる。また万年筆のように弾力性があっても、金属のペン先の先端を紙面に擦りながら筆記し書き味が滑らかでなく且つインクの出る位置が限定されているため軸が少しでも回るとインクは紙面に乗らず筆記不能になるといった欠点も解消できるほか、前記した発明の効果の欄に記載したとおりの作用効果も得ることができる。
【符号の説明】
【００５０】
１    軸筒
２    インクタンク
３    継ぎ手
４    インク保溜体
５    ペン先ホルダー
６    ペン先部材
７    ボール
１０  インク誘導芯
１１  中継芯
１２  ペン先インク誘導芯
２１  ボールハウス
２２  内面突起
２３  ボール受け座
２４  ボール保持部
２６  係合部
２８  平板部
３０  切欠き部
【図１】
2012056100.tif 000003
【図２】
2012056100.tif 000004
【図３】
2012056100.tif 000005
【図４】
2012056100.tif 000006
【図５】
2012056100.tif 000007
【図６】
2012056100.tif 000008
【図７】
2012056100.tif 000009
【図８】
2012056100.tif 000010
【図９】
2012056100.tif 000011
【図１０】
2012056100.tif 000012
【図１１】
2012056100.tif 000013
【図１２】
2012056100.tif 000014
【図１３】
2012056100.tif 000015